(57)【要約】【課題】平滑な面で作業を行うのではなく、不陸のある床面上で直接行う場合にもしっかりと押さえ込みができ、かつ、定規からカッターが反れても安全性が高い床材用安全定規を提供する。【解決手段】手で保持する部分としての平板張り出し部３３と足（膝部かつ／または足部）で保持する部分としての踏み板としての平板張り出し部３４を定規本体３０に沿って間隔を存して設け、踏み板は刃先方向から足位置を外した。【選択図】  図１
2017000225.tif 000002
【特許請求の範囲】
【請求項１】
手で保持する部分としての平板張り出し部と足（膝部かつ／または足部）で保持する部分としての踏み板としての平板張り出し部を定規本体に沿って間隔を存して設け、踏み板は刃先方向から足位置を外したことを特徴とする床材用安全定規。
【請求項２】
手で保持する部分にはグリップを設ける請求項１記載の床材用安全定規。
【請求項３】
手で保持する部分と足（膝部かつ／または足部）で保持する部分には、そのいずれか一方、もしくは双方にガードを設ける請求項１または請求項２記載の床材用安全定規。
【請求項４】
手で保持する部分と足（膝部かつ／または足部）で保持する部分としての踏み板との間に中間部の踏み板を設けた請求項１ないし請求項３のいずれかに記載の床材用安全定規。
【請求項５】
ガード部は折り畳み可能に取り付ける請求項３記載の床材用安全定規。
【発明の詳細な説明】
【技術分野】
【０００１】
本発明は、タイルカーペットや塩ビシートなどの床材をカッターで切断する際に用いる床材用安全定規に関するものである。
【背景技術】
【０００２】
従来、床貼工が長尺塩ビシート等のシート系の床材を切断する時は市販のＳＵＳ製の平板定規を使用していた。
【０００３】
平板定規で床材を切断する場合、屈んだ姿勢で定規を床材に当て、左手と右足で定規を抑え切断位置に定規を固定し、右手のカッターナイフで左手側から右足側に定規沿いにカッターナイフを引き、床材を切断するのが標準的な作業姿勢となる。
【０００４】
従来の方法では、特に硬い床材を切断する場合、切断中にカッターナイフが定規から外れ、定規を押えていた右足等身体の部分に接触し、自らを切創する災害が発生することが少なからずあった。
【０００５】
定規を保持する作業者の手足を保護するための工夫として下記特許文献がある。
【特許文献１】実開平４−１３１１９号公報
【特許文献２】特開２０１０−１３１２８２号公報
【０００６】
前記特許文献１は、図７、図８に示すように、アルミニウム等の可撓性材からなる水平板状の定規本体２の側縁側に当て縁６を設けて、この当て縁６に沿う保護部材８を定規本体２の上面にリベット９等の固定手段を用いて固定する。
【０００７】
さらに、上方に突出する立ち上がり部３を、上記当て縁６と同方向に沿って設けるとともに、前記定規本体２を保持するための水平板状の押さえ部１０を、上記立ち上がり部３を挟んで前記当て縁６の反対側に設ける。
【０００８】
かつ、この定規本体２の裏面には長手方向に沿う一対の脚片１５を突設し、さらに、前記立ち上がり部３の中間には、上端から下方に切り込まれた複数の切れ目を長手方向の間隔をおいて形成した。
【０００９】
定規１を例えば石膏ボード１１の上に置いて、切断個所の位置合わせをする。この場合に、石膏ボード１１に反りやねじれ等の変形があったとしても、立ち上がり部３に切れ目が設けられているから、石膏ボード１１の変形に充分対応することができる。
【００１０】
次いで、定規本体２の片側の押さえ部１０の上に、カッターナイフ１２を持たない方の手１３や足１４を置き、定規１を押さえ付けて固定する。そして、当て縁６に当てたカッターナイフ１２を、該当て縁６に添って手前に引いて石膏ボード１１を切断する。
【００１１】
その際に、カッターナイフが当て縁６から反れたとしても、定規１を押さえている手１３や足１４の手前には、前記当て縁６に沿って長手方向に延びている立ち上がり部３があるから、この立ち上がり部３によってカッターナイフ１２がブロックされ、手１３や足１４が傷つくことがない。
【００１２】
前記特許文献２は、図９に示すように、被切断物Ｄを押圧可能なグリップ２３を有する固定台２２と、複数の平行なレール部２５を有し固定台２２の側面に当接して被切断物Ｄを押圧可能なレール台２４と、レール台２４のレール部２５に摺動自在でかつカッターナイフ２８を設けたスライド部２７とを有するレール式ラインカッターによる。
【００１３】
作業者Ｈは、被裁断物Ｄであるデザインボードの上に固定台２２を置き手でグリップ２３を握りデザインボードＤを上から押圧する。さらに、固定台２２の右側面に沿ってレール台２４の左側面を密接に合わせて同様にデザインボードＤを上から押圧する。
【００１４】
固定台２２の右側にレール台２４を置き、スライド部２７をレール部２５の溝２５ａ、２５ａをスライドさせて被裁断物Ｄを裁断する。これによって離れた平行でかつ被裁断物Ｄの上下面とは直角な裁断面を有して平行な側面を有する長方形等の形状でデザインボードＤを裁断することができる。
【発明の概要】
【発明が解決しようとする課題】
【００１５】
従来の市販の平板定規は幅が狭く、左手は添える程度で力が入らない。また、カッターを引く方向の定規端部に右足を乗せる為、常に刃先に右足が存在する。
【００１６】
前記特許文献１は、ボード系材料切断用としては、定規の厚さ方向に立上りのついた切創防止用定規であるが、床材の切断は、ボード施工時のように定盤等の平滑な面で作業を行うのではなく、不陸のある床面上で直接行うため、立上り付き定規では床面になじまず、材料をきちんと抑え込むことができない。
【００１７】
前記特許文献２は手のみの押えであり、押え込みに難がある。
【００１８】
本発明の目的は前記従来例の不都合を解消し、平滑な面で作業を行うのではなく、不陸のある床面上で直接行う場合にもしっかりと押さえ込みができ、かつ、定規からカッターが反れても安全性が高い床材用安全定規を提供することにある。
【課題を解決するための手段】
【００１９】
前記目的を達成するため請求項１記載の本発明は、手で保持する部分と足（膝部かつ／または足部）で保持する部分としての踏み板を定規に沿って間隔を存して設け、踏み板は刃先方向から足位置を外したことを要素とするものである。
【００２０】
請求項１記載の本発明によれば、手で保持する部分と足（膝部かつ／または足部）で保持する部分との両方を設けることで、例えば、左手を定規に沿えるのではなく、力を入れ押え込めるようにし、右足でしっかり定規を踏めるようにして確実に押え込みを行うことができる。定規をしっかり押さえ込める（踏める）ので、右手によるカッター切断に集中できる。
【００２１】
また、踏み板は刃先方向から足位置を外したことで、万一、定規からカッターが反れても安全である。
【００２２】
請求項２記載の本発明は、手で保持する部分にはグリップを設けることを要旨とするものである。
【００２３】
請求項２記載の本発明によれば、グリップ（持ち手）を設けることで安定して持てるし、しっかりと押さえ込むことができる。
【００２４】
請求項３記載の本発明は、足（膝部かつ／または足部）で保持する部分にはガードを設けることを要旨とするものである。
【００２５】
請求項３記載の本発明によれば、定規からカッターが反れても左手、右足は保護カバーでガードされる。
【００２６】
請求項４記載の本発明は、手で保持する部分と足（膝部かつ／または足部）で保持する部分としての踏み板との間に中間部の踏み板を設けたことを要旨とするものである。
【００２７】
請求項４記載の本発明によれば、中間部に踏み板があるので短尺の材料を切断する時にも対応できる。
【００２８】
請求項５記載の本発明は、ガード部は折り畳み可能に取り付けることを要旨とするものである。
【００２９】
請求項５記載の本発明によれば、ガード部が折り畳めるので、運搬時や収納時に困らない。
【発明の効果】
【００３０】
以上述べたように本発明の床材用安全定規は、平滑な面で作業を行うのではなく、不陸のある床面上で直接行う場合にもしっかりと押さえ込みができ、かつ、定規からカッターが反れても安全性が高いものである。
【発明を実施するための形態】
【００３１】
以下、図面について本発明の実施の形態を詳細に説明する。図１は本発明の床材用安全定規の第１実施形態を示す斜視図、図２は同上第２実施形態を示す斜視図で、図中３０はＳＵＳ（ステンレススチール）製の定規本体で、先端を尖り部３１とし、尖り部３１の先から根本部まで長さ方向の一側を当て縁３２としている。
【００３２】
定規本体３０の先端を尖り部３１の近くで、当て縁３２の反対側である左手側には手で保持する部分として矩形の平板張り出し部３３を、この平板張り出し部３３と間隔を存して定規本体３０の根本部にも当て縁３２の反対側に矩形の平板張り出し部３４を延設した。
【００３３】
平板張り出し部３４は、足（膝部かつ／または足部）で保持する部分としての踏み板である。この右足側の踏み板は刃先方向から足位置を外した。
【００３４】
平板張り出し部３３と平板張り出し部３４との間は切り欠き空間３５として形成される。
【００３５】
前記平板張り出し部３３は手で保持する部分として、ここにコの字形のグリップ３６を設けた。グリップ３６は当て縁３２の向きに対して斜めに設ける。
【００３６】
さらに、手で保持する部分である平板張り出し部３３にはこの部分を前側から囲うようにガード３７を立ち上げた。ガード３７はＬ字形の縦板である。
【００３７】
図２に示す第２実施形態は、足（膝部かつ／または足部）で保持する部分としての踏み板である平板張り出し部３４にも前側から囲うようにＬ字形の縦板であるガード３７を設けた。
【００３８】
さらに、前記手で保持する部分である平板張り出し部３３と足（膝部かつ／または足部）で保持する部分としての踏み板である平板張り出し部３４との間に中間部の踏み板として平板張り出し部３８を設けた。
【００３９】
このように平板張り出し部３８を設けることにより、平板張り出し部３３と平板張り出し部３４との間は切り欠き空間３５も２分割される。
【００４０】
なお、中間部の踏み板として平板張り出し部３８にもＬ字形の縦板であるガード３７を設けることも可能である。
【００４１】
次に使用法について説明すると、図３は前記図２における第２実施形態の使用状態を示すもので、平板張り出し部３３のグリップ３６を左手で握って保持し、力を入れ押え込めるようにし、また、踏み板である平板張り出し部３４を右足でしっかり踏み込んで定規本体を固定する。
【００４２】
この状態でカッターを当て縁３２に当てて動かし、切断作業を行うが、保持する部分である平板張り出し部３３や踏み板である平板張り出し部３４はガード３７で保護され、しかも、平板張り出し部３４の右足は刃先の方向から外れているので、安全に作業を行うことができる。
【００４３】
また、短尺の材料を切断する場合は平板張り出し部３８を膝部で押え込むようにするが、その場合でも平板張り出し部３８は刃先方向から足位置を外したものとなる。
【００４４】
図４は本発明の第３実施形態として、Ｌ字形の縦板であるガード３７はこれを蝶番３９およびホゾ穴によりは折り畳み可能に取り付けるようにしたものである。この図４は短尺対応の事例である。
【００４５】
ガード３７は定規本体３０に対して蝶番３９により折り畳み可能に取り付き、また、Ｌ字形の縦板自体も２分割して蝶番３９により折り畳み可能となる。
【００４６】
図５に使用時を、図６に収納時を示すが、収納時にはガード３７を倒すことで邪魔にならないものとすることができる。
【図面の簡単な説明】
【００４７】
【図１】本発明の床材用安全定規の第１実施形態を示す斜視図である。
【図２】本発明の床材用安全定規の第２実施形態を示す斜視図である。
【図３】本発明の床材用安全定規の第２実施形態の使用状態を示す斜視図である。
【図４】本発明の床材用安全定規の第３実施形態を示す斜視図である。
【図５】本発明の床材用安全定規の第３実施形態での使用状態を示す平面図である。
【図６】本発明の床材用安全定規の第３実施形態での収納状態を示す平面図である。
【図７】従来例の第１例を示す縦断側面図である。
【図８】従来例の第１例を示す使用状態の斜視図である
【図９】従来例の第２例を示す使用状態の斜視図である
【符号の説明】
【００４８】
１…定規                  ２…定規本体
３…立ち上がり部
６…当て縁                ８…保護部材
９…リベット              １０…押さえ部
１１…石膏ボード          １２…カッターナイフ
１３…手                  １４…足
１５…脚片
２２…固定台              ２３…グリップ
２４…レール台            ２５…レール部
２５ａ、２５ａ…溝
２７…スライド部          ２８…カッターナイフ
３０…定規本体            ３１…尖り部
３２…当て縁              ３３…平板張り出し部
３４…平板張り出し部      ３５…切り欠き空間
３６…グリップ            ３７…ガード
３８…平板張り出し部      ３９…蝶番
【図１】
2017000225.tif 000003
【図２】
2017000225.tif 000004
【図３】
2017000225.tif 000005
【図４】
2017000225.tif 000006
【図５】
2017000225.tif 000007
【図６】
2017000225.tif 000008
【図７】
2017000225.tif 000009
【図８】
2017000225.tif 000010
【図９】
2017000225.tif 000011